(57)【要約】【課題】コンテンツデータの著作権を保護する安価な受信装置、それを構成するチューナカード及びホスト装置を提供する。【解決手段】本発明のチューナカードは、放送波から、暗号化されたコンテンツと暗号化されたスクランブル鍵を含むストリームデータを復調するチューナと、前記暗号化されたスクランブル鍵を受け取り、スクランブル鍵を復号化する鍵復号化器と、前記ストリームデータをホスト装置へ送出し、ホスト装置が送出した前記暗号化されたスクランブル鍵を受信して前記鍵復号化器に送出し、前記鍵復号化器が出力した復号化されたスクランブル鍵をホスト装置に送出するホストインターフェース部と、を備える。【選択図】図１
2006086754.tif 000002
【特許請求の範囲】
【請求項１】
放送波から、暗号化されたコンテンツと暗号化されたスクランブル鍵を含むストリームデータを復調するチューナと、
前記暗号化されたスクランブル鍵を受け取り、スクランブル鍵を復号化する鍵復号化器と、
前記ストリームデータをホスト装置へ送出し、ホスト装置が送出した前記暗号化されたスクランブル鍵を受信して前記鍵復号化器に送出し、前記鍵復号化器が出力した復号化されたスクランブル鍵をホスト装置に送出するホストインターフェース部と、
を備えるチューナカード。
【請求項２】
前記ホストインターフェース部を介して、ホスト装置から認証情報を入力し、前記認証情報が所定の情報であるか否かを判断するホスト認証部を更に有し、
前記認証情報が所定の情報である場合に限り、前記鍵復号化器から復号化されたスクランブル鍵を前記ホストインターフェース部を介して前記ホスト装置に送出する請求項１に記載のチューナカード。
【請求項３】
前記鍵復号化器が出力する復号化されたスクランブル鍵を暗号化する暗号化器を備え、前記ホストインターフェース部は、前記暗号化器が出力する再度暗号化されたスクランブル鍵をホスト装置に送出する請求項１又は２に記載のチューナカード。
【請求項４】
放送波から暗号化されたコンテンツと暗号化されたスクランブル鍵を含むストリームデータを復調してホスト装置に送出し、前記ホスト装置から送られた暗号化されたスクランブル鍵を受け取って復号化して送り返すチューナカードから、前記ストリームデータと復号化されたスクランブル鍵とを読出し、前記チューナカードに前記暗号化されたスクランブル鍵を送出するカードインターフェース部と、
前記ストリームデータから前記暗号化されたコンテンツと前記暗号化されたスクランブル鍵を分離抽出する分離器と、
前記抽出された暗号化されたコンテンツを、前記カードインターフェース部を介して前記チューナカードから読み出した前記復号化されたスクランブル鍵を用いて復号化するコンテンツ復号化器と、
を備えるホスト装置。
【請求項５】
認証情報を格納し又は算出する認証情報生成部を備え、前記カードインターフェース部が前記認証情報をチューナカードに送出する請求項４に記載のホスト装置。
【請求項６】
前記チューナカードは、ホスト装置から送られた暗号化されたスクランブル鍵を受け取って復号化した後、再度暗号化して送り返し、
再度暗号化されたスクランブル鍵を復号化し、前記コンテンツ復号化器に送出する復号化器を更に備える請求項４または５に記載のホスト装置。
【請求項７】
請求項１に記載のチューナカードと請求項４に記載のホスト装置とを有する受信装置。
【請求項８】
請求項２に記載のチューナカードと請求項５に記載のホスト装置とを有する受信装置。
【請求項９】
請求項３に記載のチューナカードと請求項６に記載のホスト装置とを有する受信装置。
【発明の詳細な説明】
【技術分野】
【０００１】
本発明は、暗号化されたコンテンツデータを受信する受信装置と、その受信装置を構成するチューナカード及びホスト装置に関する。
【背景技術】
【０００２】
近年、ＢＳディジタル放送や地上波ディジタル放送等の、映像信号及び／又は音声信号等を含むコンテンツをディジタルデータで配信するサービスが普及しつつある。これに伴い、コンテンツの視聴を許可された特定の端末以外の端末によってコンテンツが不正に視聴されることによる著作権侵害が問題となっており、コンテンツ保護がより重要になってきている。
一方で、パーソナルコンピュータ（以下「ＰＣ」と略す。）、ＰＤＡなどの汎用機器の普及に伴い、これら機器においても放送サービスを利用したいというニーズが高まっている。
【０００３】
特開２００２−３０５５１２号公報に、暗号化されたコンテンツと暗号化されたスクランブル鍵とを受信するチューナと、ＩＯカード内のワーク鍵を用いて暗号化スクランブル鍵を復号化させるローカルＣＰＵと、データ受信装置に固有の識別ＩＤと任意の乱数とに基づいて、復号化スクランブル鍵を再暗号化するための暗号鍵と、再暗号化スクランブル鍵を再復号化するための復号鍵とを生成し、暗号鍵を用いて復号化スクランブル鍵を再暗号化するＫｓ暗号器と、復号鍵を記憶する鍵格納領域と、再暗号化スクランブル鍵と暗号化コンテンツとを外部装置へ転送するバスＩ／Ｆ部とを備えた放送データを受信する従来例のディジタル放送データ転送処理装置が開示されている。
【０００４】
外部装置であるＰＣなどの汎用機器は、従来例のディジタル放送データ転送処理装置が転送する再暗号化スクランブル鍵と暗号化コンテンツと入力することにより、暗号化されたコンテンツを復号化できる。ユーザは、ＰＣなどの汎用機器で暗号化された放送信号を視聴できる。外部装置がファイル操作を行うアプリケーションが動作可能なＰＣであっても、コンテンツデータの著作権の保護が可能になる。
【０００５】
近年、種々のＩＯカードを装着可能なＰＣ、携帯端末等の汎用機器が市場に広まりつつある。又、汎用機器において放送サービスを利用したいというニーズが高まっている。汎用機器自体に放送波を受信する機能を搭載したならば、その機能を希望するユーザには受け入れられるが、汎用機器が高価になり消費電力も増大する故に、その機能を希望しないユーザの商品購入意欲を減殺してしまう。汎用機器に基本的な機能のみを搭載し、放送波を受信可能なチューナを搭載したＩＯカード（以下、「チューナカード」と呼ぶ。）をオプションとしてユーザが汎用機器に装着出来るように準備すれば、ユーザは希望する機能を有する小型で軽くて消費電力も小さい汎用機器及びＩＯカードを適切な価格で取得できる。
【特許文献１】特開２００２−３０５５１２号公報
【発明の開示】
【発明が解決しようとする課題】
【０００６】
しかし、上記従来例のディジタル放送データ転送処理装置は、ＰＣなどのホスト装置がなくても暗号化されたディジタル放送のコンテンツを視聴可能な構成を有する故に、従来例のディジタル放送データ転送処理装置とホスト装置とを組合せたシステムは、不要な部分が多く、コストの高いものになっていた。
【０００７】
従来例のディジタル放送データ転送処理装置の機能をチューナカードに搭載したとすれば、チューナカードは、暗号化されたコンテンツと暗号化されたスクランブル鍵を含むストリームデータから、暗号化コンテンツと暗号化されたスクランブル鍵を分離する処理機能を搭載しなければならない。一般に、複雑なプロトコルに従って構成されたストリームデータから暗号化コンテンツと暗号化されたスクランブル鍵を分離する処理は、高性能のＣＰＵと大規模なＲＡＭとを含むハードウエアで実行されるソフトウエアにより行われる。
【０００８】
しかし一般に、ホスト装置であるＰＣ、携帯端末等の汎用機器は高性能のＣＰＵと大規模なＲＡＭとを含むハードウエアを有しているが、ＩＯカードは小型で安価で処理能力が低いＣＰＵと、小さなＲＡＭしか有していない。
ＩＯカードに高性能のＣＰＵと大規模なＲＡＭとを含むハードウエアを搭載することは極めて困難であり、搭載できたとしても、ＩＯカードは極めて高価で消費電力が大きなものとなってしまう。
【０００９】
本発明は、上記問題を鑑み、受信装置の各機能をホスト装置側とチューナカード側とに適切に分担処理させるものである。これにより、ソフトウエアによって多くの処理が可能なＰＣ等のホスト装置側に複雑な処理を任せ、チューナカード側では最小限の機能のみを備える構成とした、安価な受信装置、それを構成するチューナカード及びホスト装置を提供することを目的とする。
本発明は、汎用のＩＯカード等を用いた放送波を受信可能なチューナカードを、ＰＣ、携帯端末等の汎用機器等であるホスト装置に搭載した受信装置を提供することを目的とする。ユーザは、例えばＰＣなどの汎用機器で暗号化された放送信号を視聴できる。汎用機器においてファイル操作が可能であっても、コンテンツデータの著作権の保護が可能になる。
【課題を解決するための手段】
【００１０】
上記課題を解決するために、本発明は以下の構成を有する。請求項１に記載の発明は、放送波から、暗号化されたコンテンツと暗号化されたスクランブル鍵を含むストリームデータを復調するチューナと、前記暗号化されたスクランブル鍵を受け取り、スクランブル鍵を復号化する鍵復号化器と、前記ストリームデータをホスト装置へ送出し、ホスト装置が送出した前記暗号化されたスクランブル鍵を受信して前記鍵復号化器に送出し、前記鍵復号化器が出力した復号化されたスクランブル鍵をホスト装置に送出するホストインターフェース部と、を備えるチューナカードである。
【００１１】
請求項４に記載の発明は、放送波から暗号化されたコンテンツと暗号化されたスクランブル鍵を含むストリームデータを復調してホスト装置に送出し、前記ホスト装置から送られた暗号化されたスクランブル鍵を受け取って復号化して送り返すチューナカードから、前記ストリームデータと復号化されたスクランブル鍵とを読出し、前記チューナカードに前記暗号化されたスクランブル鍵を送出するカードインターフェース部と、前記ストリームデータから前記暗号化されたコンテンツと前記暗号化されたスクランブル鍵を分離抽出する分離器と、前記抽出された暗号化されたコンテンツを、前記カードインターフェース部を介して前記チューナカードから読み出した前記復号化されたスクランブル鍵を用いて復号化するコンテンツ復号化器と、を備えるホスト装置である。
【００１２】
請求項７に記載の発明は、請求項１に記載のチューナカードと請求項４に記載のホスト装置とを有する受信装置である。
【００１３】
本発明は、ソフトウエアによって多くの処理が可能なＰＣ等のホスト装置で複雑な処理を行い、チューナカードで放送波を受信するチューナ機能等を実行し、ホスト装置とチューナカードとの間に重複するハードウエアがない安価な受信装置、それを構成するチューナカード及びホスト装置を実現する。ホスト装置においてファイル操作が可能であっても、ホスト装置の中には暗号化されたスクランブル鍵を復号化する情報は存在しない故に、暗号化鍵の秘密が第三者に漏れる恐れはない。本発明は、コンテンツデータの著作権の保護が可能な受信装置、それを構成するチューナカード及びホスト装置を実現する。
【００１４】
なお一般に、暗号化されたスクランブル鍵を復号化する処理は、小型のＣＰＵが小さなＲＡＭを用いてソフトウエアにより実行可能である。例えばチューナカードが搭載している小型で安価な汎用のＣＰＵが暗号化されたスクランブル鍵を復号化する処理を行う構成にすれば、この処理を行ってもチューナカードの回路規模、消費電力、価格はほとんど変らない。
【００１５】
チューナカードは、ホスト装置に抜き差し可能なカード形態のものでもホスト装置に内蔵するモジュール形態のものでも良いが、好ましくは、汎用の抜き差し可能なＩＯカード（例えばＳＤＩＯカード、ＰＣカード等）である。チューナは無線の放送波を受信しても良く、有線の放送波を受信しても良い。好ましくはホスト装置は、携帯用ＰＣ、設置型ＰＣ、ＰＤＡ、携帯電話等のデータ処理機能を備えた汎用機器である。
【００１６】
請求項２に記載の発明は、前記ホストインターフェース部を介して、ホスト装置から認証情報を入力し、前記認証情報が所定の情報であるか否かを判断するホスト認証部を更に有し、前記認証情報が所定の情報である場合に限り、前記鍵復号化器から復号化されたスクランブル鍵を前記ホストインターフェース部を介して前記ホスト装置に送出する請求項１に記載のチューナカードである。
【００１７】
請求項５に記載の発明は、認証情報を格納し又は算出する認証情報生成部を備え、前記カードインターフェース部が前記認証情報をチューナカードに送出する請求項４に記載のホスト装置である。
【００１８】
請求項８に記載の発明は、請求項２に記載のチューナカードと請求項５に記載のホスト装置とを有する受信装置である。
【００１９】
不正なホスト装置は、正しい認証情報を送出できないので、チューナカードから復号化されたスクランブル鍵を取得できない。本発明は、コンテンツデータの著作権の保護が更に可能な受信装置、それを構成するチューナカード及びホスト装置を実現する。
認証情報が一定であるプロトコルであれば、認証情報生成部は一定の認証情報を格納し、認証情報が毎回異なるプロトコル（例えばチャレンジ／レスポンス方式のプロトコル）であれば、認証情報生成部は毎回異なる認証情報を生成する。
【００２０】
請求項３に記載の発明は、前記鍵復号化器が出力する復号化されたスクランブル鍵を暗号化する暗号化器を備え、前記ホストインターフェース部は、前記暗号化器が出力する再度暗号化されたスクランブル鍵をホスト装置に送出する請求項１又は２に記載のチューナカードである。
【００２１】
請求項６に記載の発明は、前記チューナカードは、ホスト装置から送られた暗号化されたスクランブル鍵を受け取って復号化した後、再度暗号化して送り返し、再度暗号化されたスクランブル鍵を復号化し、前記コンテンツ復号化器に送出する復号化器を更に備える請求項４または５に記載のホスト装置である。
【００２２】
請求項９に記載の発明は、請求項３に記載のチューナカードと請求項６に記載のホスト装置とを有する受信装置である。
【００２３】
チューナカードとホスト装置との間で再度暗号化されたスクランブル鍵を授受する故に、悪意の第三者がスクランブル鍵を不正に取得することが困難な受信装置、それを構成するチューナカード及びホスト装置を実現できる。
【発明の効果】
【００２４】
本発明によれば、コンテンツデータの著作権を保護する安価な受信装置、それを構成するチューナカード及びホスト装置を実現するという有利な効果が得られる。
【００２５】
本発明によれば、チューナカードが許可された認証可能なホスト装置にのみスクランブル鍵を出力することにより、不正なホスト装置によるコンテンツデータの視聴を防ぐ、コンテンツデータの著作権を保護する安価な受信装置、それを構成するチューナカード及びホスト装置を実現するという有利な効果が得られる。
【００２６】
本発明によれば、悪意の第三者がコンテンツデータを復号化するためのスクランブル鍵を不正に取得することが困難な、コンテンツデータの著作権を保護する安価な受信装置、それを構成するチューナカード及びホスト装置を実現するという有利な効果が得られる。
【発明を実施するための最良の形態】
【００２７】
以下本発明の実施をするための最良の形態を具体的に示した実施の形態について、図面とともに記載する。
【００２８】
《実施の形態１》
図１及び図２を用いて、本発明の実施の形態１のディジタル放送信号によるコンテンツデータを受信する受信装置について説明する。図１は、実施の形態１の受信装置の構成の概略を示すブロック図である。実施の形態１の受信装置は、地上波ディジタル放送を受信する受信装置である。しかし、受信装置は他の放送波、例えば衛星ディジタル放送又は有線のディジタル放送を受信する装置であっても良い。図１において、実施の形態１の受信装置は、チューナカード１と、ホスト装置２とを有する。実施の形態１において、チューナカード１はＳＤＩＯカードであり、ホスト装置２は携帯電話である。
【００２９】
チューナカード１は、アンテナ３、チューナ４、スクランブル鍵復号化器５、及びホストインターフェース部６を有する。ホスト装置２は、カードインターフェース部７、分離器８、コンテンツ復号化器９、及びＡＶ再生部１０を有する。
【００３０】
アンテナ３は、ディジタル放送信号を受信する。
チューナ４は、アンテナ３が受信したディジタル放送信号を、暗号化されたコンテンツデータＣｓと暗号化されたスクランブル鍵Ｋｓとを含むストリームデータに復調し、ホストインターフェース部６に出力する。ストリームデータに含まれる暗号化されたスクランブル鍵Ｋｓは１秒毎に更新される。
ホストインターフェース部６は、ホスト装置２と接続し通信を行うための機能を有し、チューナ４から入力されたストリームデータをカードインターフェース部７に出力し、カードインターフェース部７から暗号化されたスクランブル鍵Ｋｓを入力してスクランブル鍵復号化器５に出力し、スクランブル鍵復号化器５から復号化されたスクランブル鍵Ｋｄを入力してカードインターフェース部７に出力する。
スクランブル鍵復号化器５は、予め契約情報又は所定の秘密鍵を保持しており、それによって入力された暗号化されたスクランブル鍵Ｋｓを復号化し、復号化されたスクランブル鍵Ｋｄをホストインターフェース部６に出力する。
【００３１】
カードインターフェース部７は、チューナカード１と接続し通信を行うための機能を有し、ホストインターフェース部６から入力されたストリームデータを分離器８に出力し、分離器８から暗号化されたスクランブル鍵Ｋｓを入力してホストインターフェース部６に出力し、ホストインターフェース部６から復号化されたスクランブル鍵Ｋｄを入力してコンテンツ復号化器９に出力する。
分離器８は、ストリームデータから暗号化されたコンテンツデータＣｓと暗号化されたスクランブル鍵Ｋｓとを分離抽出し、暗号化されたコンテンツデータＣｓをコンテンツ復号化器９に出力し、暗号化されたスクランブル鍵Ｋｓをカードインターフェース部７に出力する。
コンテンツ復号化器９は、入力された復号化されたスクランブル鍵Ｋｄを用いて、入力された暗号化されたコンテンツデータを復号化し、復号化されたコンテンツデータＣｄをＡＶ再生部１０に出力する。
ＡＶ再生部１０は、復号化されたコンテンツデータＣｄから映像データや音声データ等を出力装置上に表示・再生する。
【００３２】
コンテンツ復号化器９の復号化処理の仕組み、或いはスクランブル鍵が盗まれたとしても、１秒後には別のスクランブル鍵に変わるため、コンテンツデータを復元できない。これに対して、スクランブル鍵復号化器５の復号化処理は、その仕組みが明らかになると１秒毎に変化するスクランブル鍵を随時復号化する回路を設計することができるようになりコンテンツデータを復号化できるため、スクランブル鍵復号化器５にはより高い秘匿性が求められると言える。したがって、スクランブル鍵復号化器５は、ＰＣ等の制御仕様が公開されているホスト装置２側で実行するよりも、チューナカード１側で実行することが好ましい。
【００３３】
次に、図２を用いて上記のように構成された本実施の形態の受信装置の動作の詳細を説明する。図２は、チューナカード１とホスト装置２との間の通信と、主な処理を示すシーケンス図である。
まず、チューナカード１側で、アンテナ３によって放送信号が受信され（Ｓ２００）、受信信号はチューナ４によってストリームデータに復調される（Ｓ２０１）。チューナカード１は、得られたストリームデータをホスト装置２に出力する。
ホスト装置２は、入力したストリームデータを、分離器８によって暗号化されたコンテンツデータＣｓと暗号化されたスクランブル鍵Ｋｓとに分離抽出する（Ｓ２０２）。ホスト装置２は、得られた暗号化されたスクランブル鍵Ｋｓのみをチューナカード１に出力する。
チューナカード１は、入力した暗号化されたスクランブル鍵Ｋｓを復号化し、復号化されたスクランブル鍵Ｋｄを得る（Ｓ２０３）。チューナカード１は、得られた復号化されたスクランブル鍵Ｋｄをホスト装置２に出力する。
ホスト装置２は、入力された復号化されたスクランブル鍵Ｋｄを用いて、Ｓ２０２で得られた暗号化されたコンテンツデータＣｓを復号化する（Ｓ２０４）。
【００３４】
以上のように、本実施の形態の受信装置は、ハードウエア処理に適した放送信号の復調処理（チューナ）と、高い秘匿性が要求されるスクランブル鍵の復号化処理（スクランブル鍵復号化器５）をチューナカード１側に分担させ、それ以外の処理をＰＣ等のホスト装置２側に分担させることにより、安価な受信装置を実現することができる。
【００３５】
《実施の形態２》
図３及び図４を用いて、本発明の実施の形態２のディジタル放送信号によるコンテンツデータを受信する受信装置について説明する。図３は、実施の形態２の受信装置の構成の概略を示すブロック図である。実施の形態２の受信装置は、地上波ディジタル放送を受信する受信装置である。しかし、受信装置は他の放送波、例えば衛星ディジタル放送又は有線のディジタル放送を受信する装置であっても良い。図３において、実施の形態２の受信装置は、チューナカード３１とホスト装置３２とを有する。実施の形態１において、チューナカード３１はＳＤＩＯカードであり、ホスト装置３２は携帯情報端末である。
【００３６】
チューナカード３１が、実施の形態１のチューナカード１の構成に加えてホスト認証部３３を有する点、ホスト装置３２が、携帯情報端末である点及び実施の形態１のホスト装置２の構成に加えて認証情報記憶部３４を有する点において、実施の形態１とは異なる。それ以外の点については、実施の形態１と同じであり、同一符号を付した要素についての詳細な説明は省略する。
【００３７】
認証情報記憶部３４は、チューナカード３１がホスト装置３２を識別するための認証情報を格納する。認証情報は、そのホスト装置３２がコンテンツデータの視聴を許可されていることを示すコードである。
認証情報記憶部３４に代えて、ホスト装置３２がチューナカード３１に認証情報を送る度に、異なる認証情報を生成する認証情報生成部を設けても良い。認証情報生成部とホスト認証部３３とは、例えば同一の乱数発生器を内蔵し、更新のたびに異なる認証情報を授受する。
【００３８】
ホスト認証部３３は、ホストインターフェース６及びカードインターフェース部７を介して、ホスト装置３２の認証情報記憶部３４に格納された認証情報を読出し、その認証情報が所定条件を満たすかどうかを判定する。認証情報が所定条件を満たす場合は判定結果Ａを、認証情報が所定条件を満たさない場合は判定結果Ｂをホストインターフェース部６に出力する。
【００３９】
ホストインターフェース部６は、ホスト認証部３３から判定結果Ａが入力された場合、スクランブル鍵復号化器５から出力される復号化されたスクランブル鍵Ｋｄをホスト装置３２に出力する。ホスト認証部３３から判定結果Ｂが入力された場合、スクランブル鍵復号化器５から入力される復号化されたスクランブル鍵Ｋｄをホスト装置３２に出力しない。
上記の構成に代えて、ホスト認証部３３は、判定結果Ａ又はＢをスクランブル鍵復号化器５に送り、スクランブル鍵復号化器５は、判定結果Ａを入力した場合には復号化されたスクランブル鍵Ｋｄを出力し、判定結果Ｂを入力した場合には復号化されたスクランブル鍵Ｋｄを出力しない構成としても良い。
【００４０】
次に、図４を用いて上記のように構成された本実施の形態の受信装置の動作の詳細を説明する。図４は、チューナカード３１とホスト装置３２との間の通信と、主な処理を示すシーケンス図である。
まず、チューナカード３１側で、アンテナ３によって放送信号が受信され（Ｓ２００）、受信信号はチューナ４によってストリームデータに復調される（Ｓ２０１）。チューナカード３１は、得られたストリームデータをホスト装置３２に出力する。
ホスト装置３２は、入力したストリームデータを、分離器８によって暗号化されたコンテンツデータＣｓと暗号化されたスクランブル鍵Ｋｓとに分離抽出する（Ｓ２０２）。ホスト装置３１は、認証情報を読み出す（Ｓ４００）。ホスト装置３２は、得られた暗号化されたスクランブル鍵Ｋｓと、認証情報とをチューナカード３１に出力する。
【００４１】
チューナカード３１は、入力した暗号化されたスクランブル鍵Ｋｓを復号化し、復号化されたスクランブル鍵Ｋｄを得る（Ｓ２０３）。また、入力した認証情報が所定条件を満たすか否かを判定する（Ｓ４０１）入力した認証情報が所定条件を満たす場合、チューナカード３１は、Ｓ２０３で得られた復号化されたスクランブル鍵Ｋｄをホスト装置３２に出力する。ホスト装置３２は、入力された復号化されたスクランブル鍵Ｋｄを用いて、Ｓ２０２で得られた暗号化されたコンテンツデータＣｓを復号化することができる（Ｓ２０４）。
Ｓ４０１において、入力した認証情報が所定条件を満たさない場合、チューナカード３１は、復号化されたスクランブル鍵Ｋｄをホスト装置３２に出力しないので、不正なホスト装置３２は暗号化されたコンテンツデータＣｓを復号化することができない。
【００４２】
以上のように、本実施の形態の受信装置は、所定の条件を満たすホスト装置にのみ復号化されたスクランブル鍵を出力することで、不正なホスト装置がコンテンツデータを視聴することを防ぐことができる、コンテンツデータの著作権を保護する受信装置を実現することができる。
【００４３】
《実施の形態３》
図５及び図６を用いて、本発明の実施の形態３のディジタル放送信号によるコンテンツデータを受信する受信装置について説明する。図５は、実施の形態３の受信装置の構成の概略を示すブロック図である。実施の形態３の受信装置は、地上波ディジタル放送を受信する受信装置である。しかし、受信装置は他の放送波、例えば衛星ディジタル放送又は有線のディジタル放送を受信する装置であっても良い。図５において、実施の形態３の受信装置は、チューナカード５１とホスト装置５２とを有する。実施の形態３において、チューナカード５１はＳＤＩＯカードであり、ホスト装置５２はＰＣである。
【００４４】
チューナカード５１が、実施の形態２のチューナカード３１の構成に加えてスクランブル鍵再暗号化器５３を更に有する点、ホスト装置５２が、ＰＣである点及び実施の形態２のホスト装置３２の構成に加えてスクランブル鍵再復号化器５４を有する点において、実施の形態２とは異なる。それ以外の点については、実施の形態２と同じであり、同一符号を付した要素についての詳細な説明は省略する。
【００４５】
スクランブル鍵再暗号化器５３は、スクランブル鍵復号化器５から復号化されたスクランブル鍵Ｋｄを入力し、復号化されたスクランブル鍵Ｋｄを所定の暗号化鍵を用いて再度暗号化する。再度暗号化されたスクランブル鍵Ｋｄｓは、ホストインターフェース部６及びカードインターフェース部７を介してスクランブル鍵再復号化器５４に出力される。
スクランブル鍵再復号化器５４は、スクランブル鍵再暗号化器５３が使用した暗号化鍵に対応する復号化鍵を有し、入力した再度暗号化されたスクランブル鍵Ｋｄｓを復号化し、復号化されたスクランブル鍵Ｋｄをコンテンツ復号化器９に出力する。
【００４６】
次に、図６を用いて上記のように構成された本実施の形態の受信装置の動作の詳細を説明する。図６は、チューナカード５１とホスト装置５２との間の通信と、主な処理を示すシーケンス図である。
まず、チューナカード５１で、アンテナ３によって放送信号が受信され（Ｓ２００）、受信信号はチューナ４によってストリームデータに復調される（Ｓ２０１）。チューナカード５１は、得られたストリームデータをホスト装置５２に出力する。
ホスト装置５２は、入力したストリームデータを、分離器８によって暗号化されたコンテンツデータＣｓと暗号化されたスクランブル鍵Ｋｓとに分離抽出する（Ｓ２０２）。ホスト装置５２は、認証情報を読み出す（Ｓ４００）。ホスト装置５２は、得られた暗号化されたスクランブル鍵Ｋｓと、認証情報とをチューナカード５１に出力する。
【００４７】
チューナカード５１は、入力した暗号化されたスクランブル鍵Ｋｓを復号化し、復号化されたスクランブル鍵Ｋｄを得る（Ｓ２０３）。更に復号化されたスクランブル鍵Ｋｄを再度暗号化し、再度暗号化されたスクランブル鍵Ｋｄｓを得る（Ｓ６００）。また、入力した認証情報が所定条件を満たすか否かを判定する（Ｓ４０１）。入力した認証情報が所定条件を満たす場合、チューナカード５１は、Ｓ６００で得られた再度暗号化スクランブル鍵Ｋｄｓをホスト装置５２に出力する。ホスト装置５２は、入力された再度暗号化されたスクランブル鍵Ｋｄｓを復号化して、復号化されたスクランブル鍵Ｋｄを得る（Ｓ６０１）。更にホスト装置５２は、復号化されたスクランブル鍵Ｋｄを用いて、Ｓ２０２で得られた暗号化されたコンテンツデータＣｓを復号化することができる（Ｓ２０４）。
【００４８】
Ｓ４０１において入力した認証情報が所定条件を満たさない場合、チューナカード５１は、再度暗号化されたスクランブル鍵Ｋｄｓをホスト装置５２に出力しないので、不正なホスト装置５２は暗号化されたコンテンツデータＣｓを復号化することができない。
これに代えて、Ｓ４０１において入力した認証情報が所定条件を満たさない場合、スクランブル鍵復号化器５が復号化したスクランブル鍵を出力せず、又はスクランブル鍵再暗号化器５３が再暗号化されたスクランブル鍵を出力しない構成としても良い。
【００４９】
以上のように、本実施の形態の受信装置は、コンテンツデータを復号化するためのスクランブル鍵がチューナカード５１とホスト装置５２との通信において暗号化されているため、コンテンツデータの保護能力が高く、コンテンツデータの著作権を保護する受信装置を実現することができる。
【００５０】
スクランブル鍵復号化器５が暗号化されたスクランブル鍵を復号化するのに使用する復号化鍵は、放送電波を出力する会社が個々のチューナカードに提供する鍵である。スクランブル鍵再暗号化器５３がスクランブル鍵を再暗号化するのに使用する暗号化鍵及びスクランブル鍵再復号化器５４が再暗号化されたスクランブル鍵を再復号化するのに使用する復号化鍵は、チューナカードとホスト装置との間だけで任意に定めた鍵、又は放送電波を出力する会社が個々のチューナカード及びホスト装置に提供する鍵である。
【００５１】
実施の形態のチューナカードはＳＤＩＯカードであった。しかしこれに限られるものではなく、チューナカードは任意のＩＯカードであっても良い。好ましくはチューナカードは汎用のＩＯカードであり、例えばＳＤＩＯカード、ＰＣカードである。ホスト装置は、汎用のＩＯカードを挿入するスロットを有する装置であって、好ましくはＰＣ、携帯端末、携帯電話等の汎用の情報処理機能を有する機器である。
【産業上の利用可能性】
【００５２】
本発明は、例えば、ディジタル放送信号によるコンテンツデータを受信する受信装置に適用することができる。
【図面の簡単な説明】
【００５３】
【図１】本発明の実施の形態１における受信装置の構成の概略を示すブロック図
【図２】本発明の実施の形態１におけるチューナカードとホスト装置との通信及び動作を説明するシーケンス図
【図３】本発明の実施の形態２における受信装置の構成の概略を示すブロック図
【図４】本発明の実施の形態２におけるチューナカードとホスト装置との通信及び動作を説明するシーケンス図
【図５】本発明の実施の形態３における受信装置の構成の概略を示すブロック図
【図６】本発明の実施の形態３におけるチューナカードとホスト装置との通信及び動作を説明するシーケンス図
【符号の説明】
【００５４】
１、３１、５１  チューナカード
２、３２、５２  ホスト装置
３  アンテナ
４  チューナ
５  スクランブル鍵復号化器
６  ホストインターフェース部
７  カードインターフェース部
８  分離器
９  コンテンツ復号化器
１０  ＡＶ再生部
３３  ホスト認証部
３４  認証情報記憶部
５３  スクランブル鍵再暗号化器
５４  スクランブル鍵再復号化器
【図１】
2006086754.tif 000003
【図２】
2006086754.tif 000004
【図３】
2006086754.tif 000005
【図４】
2006086754.tif 000006
【図５】
2006086754.tif 000007
【図６】
2006086754.tif 000008